(57)【要約】【課題】  室内の通風が可能なだけでなく開閉操作を行うことなく室内への太陽光及び雨の侵入を防止することができ且つ外からの視線を遮ることができる換気用建具を提供する。【解決手段】  シャッター１１の開閉を案内するためのガイドレール１４に着脱可能に装着される枠体１５内に、風の通過を許し且つ太陽光及び雨の侵入を抑制するルーバー２０を設ける。【選択図】  図１
2005127059.tif 000002
【特許請求の範囲】
【請求項１】
室の壁に形成された開口部を塞ぐシャッターの開閉を案内するための一対のガイドレー
ルに着脱可能に装着される枠体と、該枠体内に設けられ、外部からの風の通過を許し且つ
太陽光及び雨の侵入を抑制するルーバーとを備えることを特徴とする換気用建具。
【請求項２】
前記ルーバーは、互いに上下方向に所定の間隔をおいて平行に配置され且つ前記室から
前記外部へ向けて下向きに傾斜して配置された複数の羽根部材を有することを特徴とする
請求項１に記載の換気用建具。
【請求項３】
前記枠体は、前記ガイドレールに沿って摺動可能であり且つ所定の高さ位置に解除可能
に位置決めされることを特徴とする請求項１に記載の換気用建具。
【発明の詳細な説明】
【技術分野】
【０００１】
本発明は、住宅の窓や店舗の出入口等に設けられたシャッターのガイドレールに着脱可
能に装着して室内を通風可能とする換気用建具に関する。
【背景技術】
【０００２】
一般に、シャッターは、防犯及び防火等の目的で窓や出入口のような開口部を塞ぐため
に設けられており、開口部の左右に設けられた一対のガイドレールに沿って上下方向に開
閉される。しかし、シャッターを閉めた状態では室内の通風が悪く、また通風をよくする
ためにシャッターを半開きにすると防犯上の問題を招いてしまう。そこで、防犯上の問題
を招くことなく室内の通風をよくするために、既存のシャッターのガイドレールに後付け
することができる換気用建具が知られている（例えば、特許文献１参照。）。
【０００３】
この換気用建具は、シャッターを半開きにした状態で形成される開口部の開放部分に装
着される板状部材を備える。板状部材には、金属製の網が張られた通気窓と、該通気窓を
開閉するための引き違い戸とが設けられている。
【０００４】
これにより、シャッターを板状部材の装着位置まで下げた状態で通気窓を開けておけば
通気窓から室内へ外気が入ってくるため、防犯及び防火上の問題を招くことなく室内を換
気することができ、また通気窓を閉めておけば通気窓から室内に差し込んでくる太陽光や
通気窓から室内への雨の侵入を防止することができ且つ外からの視線を遮断することがで
きる。
【特許文献１】特開２０００−８７６６４号公報
【発明の開示】
【発明が解決しようとする課題】
【０００５】
しかしながら、通気窓から室内への太陽光や雨の侵入を防止するために、又は外から室
内への視線を遮断するために、その都度引き違い戸を操作して通気窓を閉める必要がある
という問題点があった。
【０００６】
このため、例えば留守中に室内を換気するために通気窓を開けておいた場合、室内を換
気することはできるが、太陽光の侵入を防止することはできず、また雨が降ってきた際に
は通気窓から室内へ雨が侵入してしまうことがある。
【０００７】
本発明の目的は、室内の通風が可能なだけでなく、開閉操作を行うことなく室内への太
陽光及び雨の侵入を防止することができ且つ外からの視線を遮ることができる換気用建具
を提供することにある。
【課題を解決するための手段】
【０００８】
上記課題を解決するために、請求項１に記載の発明は、室の壁に形成された開口部を塞
ぐシャッターの開閉を案内するための一対のガイドレールに着脱可能に装着される枠体と
、該枠体内に設けられ、外部からの風の通過を許し且つ太陽光及び雨の侵入を抑制するル
ーバーとを備えることを特徴とする。
【０００９】
請求項１に記載の構成では、シャッターのガイドレールに着脱可能に装着される枠体内
に風の通過を許し且つ太陽光及び雨の侵入を抑制するルーバーが設けられていることから
、従来のような通気窓の開閉操作を行うことなく室内への通風を確保することができ且つ
室内への太陽光及び雨の侵入を防止することができる。
【００１０】
これにより、例えば留守中でも太陽光の侵入を防止することができ、また雨が降ってき
た場合でも何等の開閉操作を施すことなく室内を換気しながら室内への雨の侵入を防止す
ることができる。
【００１１】
また、従来のような通気窓の開き具合を調節するための引き違い戸を設ける必要がない
ため、部品点数を削減することができる。これにより、製造コストの増大を抑制すること
ができる。
【００１２】
請求項２に記載の発明は、請求項１に記載の発明において、前記ルーバーは、互いに上
下方向に所定の間隔をおいて平行に配置され且つ前記室から前記外部へ向けて下向きに傾
斜して配置された複数の羽根部材を有することを特徴とする。
【００１３】
請求項２に記載の構成では、ルーバーは複数の羽根部材を有することから、室内への太
陽光や雨の侵入をより確実に防止することができ、且つ外からの視線をより確実に遮るこ
とができる。
【００１４】
請求項３に記載の発明は、請求項１に記載の発明において、前記ガイドレールに沿って
摺動可能であり且つ所定の高さ位置に解除可能に位置決めされることを特徴とする。
【００１５】
請求項３に記載の構成では、枠体はガイドレールに沿って摺動可能であり且つ所定の位
置に解除可能に位置決めされることから、枠体の高さ位置を変える際、枠体をガイドレー
ルに装着させたまま所望の高さ位置まで容易に移動させることができ且つ換気用建具を目
隠しとして使用するのに適した所望の高さ位置に保持することができる。
【００１６】
これにより、枠体の高さ位置を変える度に枠体をガイドレールから取り外して所望の高
さ位置に装着し直す手間を省くことができ且つ所望の高さ位置からの枠体のずれを防止す
ることができるため、換気用建具を目隠しとして有効に利用することができる。
【発明の効果】
【００１７】
本発明によれば、シャッターのガイドレールに着脱可能に装着される枠体内に風の通過
を許し且つ太陽光及び雨の侵入を抑制するルーバーが設けられていることから、従来のよ
うな通気窓の開閉操作を行うことなく室内への通風を確保することができ且つ室内への太
陽光及び雨の侵入を防止することができる。
【発明を実施するための最良の形態】
【００１８】
本発明に係る換気用建具について実施例に沿って説明する。
【実施例】
【００１９】
本実施例では、住宅の窓に設けられたシャッターに本発明を適用した例について説明す
る。
【００２０】
シャッター１１は、従来よく知られているように、室を区画する壁に形成された開口部
１２である窓１２を防犯及び防火等の目的で塞ぐために設けられている。シャッター１１
は、窓１２の上に設置されたシャッターボックス１３（図３参照。）内に巻かれて収納さ
れており、シャッターボックス１３からの引き出し操作及びシャッターボックス１３への
押し込み操作により開閉される。窓１２の左右の両側には、シャッター１１の上下方向の
開閉を案内するための一対のガイドレール１４が設けられている。
【００２１】
本発明に係る換気用建具１０は、シャッター１１の各ガイドレール１４に装着され、室
内の通風をよくするための建具として用いられる。換気用建具１０は、図１に示すように
、各ガイドレール１４に装着される枠体１５を備える。
【００２２】
枠体１５は、図示の例では、鉄やアルミ等の金属で成形されており、上枠１６と、下枠
１７と、上枠１６及び下枠１７をそれらの両端部で連結する一対の側枠１８と、上枠１６
及び下枠１７をそれらの中間部で連結する中枠１９とを備え、全体で横長の矩形状をなし
ている。上枠１６、下枠１７、各側枠１８及び中枠１９は、それぞれ矩形の横断面を有す
る。また、枠体１５が各ガイドレール１４に容易に受け入れられるように、上枠１６及び
下枠１７の各幅寸法はシャッター１１のそれと略等しい。
【００２３】
各側枠１８と中枠１９との間には、それぞれルーバー２０が設けられている。各ルーバ
ー２０は、複数の羽根部材２１を備える。各羽根部材２１は、矩形をなした鉄やアルミ等
の金属の板状部材で成形されており、それらの各両端で各側枠１８と中枠１９との互いに
対向する側面１８ａ，１９ａに、互いに上下方向に所定の間隔をおいて平行に配置され、
庇状に外方下方へ傾斜して固定されている。各羽根部材２１と枠体１５を横切る水平面と
のなす角度は、図示の例では、約３０°に設定されている。また、各羽根部材２１間の間
隔は、図示の例では、約５ｍｍに設定されている。ルーバー２０は、従来よく知られた通
風機能及び採光機能に加え、室内への太陽光及び雨の侵入を抑制し且つ外からの視線を遮
る機能を有する。
【００２４】
各側枠１８の外方の各側面１８ｂには、それぞれの上端部２２及び下端部２３に孔２４
が所定の間隔をおいて形成されている。各孔２４内には、図１のI−I線に沿った横断面図
である図２に示すように、圧縮コイルスプリング２５と、各先端部２６ａが各孔２４から
突出するようにコイルスプリング２５のばね力で各孔２４の軸線方向に付勢された係合体
２６が挿入されている。各係合体２６は樹脂材料で成形されており、後述する各ガイドレ
ール１４に形成された係合孔２７に係合可能である。また、各係合体２６の先端部２６ａ
は半球状をなしている。
【００２５】
枠体１５が装着されるシャッター１１の各ガイドレール１４は、図２に示すように、横
断面がコ字状をなしている。各ガイドレール１４の底面１４ａには、ガイドレール１４の
長手方向に沿って複数の係合孔２７が枠体１５の各側枠１８に設けられた各係合体の間隔
と等しい間隔をおいて形成されている。各係合孔２７は、口径が底面１４ａに向けて漸増
する円錐台形状をなしており、両ガイドレール１４に互いに対称的に配列されている。各
係合孔２７には、前記したように、各ガイドレール１４への枠体１５の装着状態で枠体１
５の各係合体２６が係合される。これにより、枠体１５は、各係合体２６が各係合孔２７
に係合される各係合位置に解除可能に位置決めされる。
【００２６】
枠体１５をガイドレール１４に装着する際、シャッター１１をシャッターボックス１３
に収納させるか又は途中まで上げる。次に、枠体１５の一方の側枠１８に設けられた各係
合体２６を一方のガイドレール１４の底面１４ａに押し付けて各孔２４内に押し込み、一
方の側枠１８を一方のガイドレール１４に嵌合させてから、他方の側枠１８を他方のガイ
ドレール１４に嵌合させる。このとき、前記したように、枠体１５の上枠１６及び下枠１
７の長さはシャッター１１と略等しいことから、枠体１５を各ガイドレール１４に容易に
嵌合させることができる。その後、各係合体２６をそれぞれ所望の高さ位置に応じた各ガ
イドレール１４の各係合孔２７に係合させて、装着が完了する。
【００２７】
枠体１５の係合位置を変える際は、枠体１５をガイドレール１４に装着した状態で枠体
１５に上方または下方への力を加えて、枠体１５をガイドレール１４に沿って上下方向に
移動させる。各係合孔２７は、前記したように、円錐台形をなしていることから、各係合
孔２７への各係合体２６の係合を解除する際、各係合体２６は円錐台形の傾斜面で各孔２
４内へ円滑に押し込まれる。これにより、各係合孔２７への各係合体２６の係合を容易に
解除することができる。また、前記したように、各係合体２６は樹脂材料で成形されてお
り、その先端部２６ａが半球状をなしていることから、枠体１５の係合位置から他の係合
位置への移動中、各係合体２６はガイドレール１４の底面１４ａからの摩擦力を受け難い
。このため、各係合体２６は各孔２４内に押し込まれた状態で底面１４ａ上を円滑に摺動
する。これにより、枠体１５を係合位置から他の係合位置へ容易に移動させることができ
る。
【００２８】
また、枠体１５をガイドレール１４から取り外す際は、枠体１５を一方のガイドレール
１４に押し付けるようにずらし、他方のガイドレール１４に係合された各係合体２６を各
孔２４内に押し込みながら枠体１５を取外す。
【００２９】
夜間や留守中は、図３に示すように、窓１２を開けた状態で枠体１５を最下位置まで下
げ、続いてシャッター１１の下端が枠体１５の上枠１６に当接するまでシャッター１１を
下げる。この状態では、外の空気が各ルーバー２０から室内へ取り入れられるため、室内
を換気することができる。また、図３に示す状態では、シャッター１１と換気用建具１０
とが協働してシャッター１１を完全に閉めた状態と同様の防犯機能及び防火機能を果たす
ことができる。各ルーバー２０の各羽根部材２１は、前記したように、雨の侵入を防止す
るように設定されていることから、雨が降ってきても窓１２を閉める必要がない。これに
より、雨が降っていても室内を換気することができる。しかも、各ルーバー２０の各羽根
部材２１は、前記したように、外からの視線を遮るように設定されていることから、特に
夜間のように外からの視線が気になるときに、従来のようにシャッター１１を完全に閉め
る必要がないため、室内を換気しながら外からの視線を遮ることができる。
【００３０】
昼間は、図４に示すように、シャッター１１をシャッターボックス１３内に収納し、枠
体１５を所望の係合位置まで移動させる。各ルーバー２０の各羽根部材２１は、前記した
ように、太陽光の侵入を防止し且つ採光可能となるように設定されていることから、室内
の明るさを損なうことなく太陽光の侵入を抑制することができる。また、例えば店舗の出
入口に設けられたシャッターのガイドレールに本発明の換気用建具１０を装着した場合で
も、枠体１５を図４に示すような最高位置に移動させれば、出入りの障害になることはな
い。
【００３１】
本実施例によれば、前記したように、シャッター１１のガイドレール１４に着脱可能に
装着される枠体１５の各側枠１８と中枠１９との間に、通風機能及び採光機能に加え、室
内への太陽光及び雨の侵入を抑制し且つ外からの視線を遮る機能を有するルーバー２０が
それぞれ設けられていることから、従来のような通気窓の開閉操作を行うことなく室内へ
の通風を確保することができ且つ室内への太陽光及び雨の侵入を防止することができる。
【００３２】
これにより、例えば留守中でも太陽光の侵入を防止することができ、また雨が降ってき
た場合でも何等の開閉操作を施すことなく室内を換気しながら室内への雨の侵入を防止す
ることができる。
【００３３】
また、従来のような通気窓の開き具合を調節するための引き違い戸を設ける必要がない
ため、部品点数を削減することができる。これにより、製造コストの増大を抑制すること
ができる。
【００３４】
また、前記したように、枠体１５はガイドレール１４に沿って摺動可能であり且つ所望
の高さ位置に解除可能に保持されることから、枠体１５の高さ位置を変える度に、枠体１
５をガイドレール１４から取り外し、所望の高さ位置に装着し直す手間を省くことができ
、且つ所望の係合位置からの枠体１５のずれを防止することができるため、換気用建具１
０を目隠しとして有効に利用することができる。
【００３５】
本実施例では、各ルーバー２０及び各羽根部材２１がそれぞれ鉄やアルミ等の金属で成
形された例を示したが、これらに代えて、くもりガラスやプラスチック等の半透明な部材
や、木材等で成形することができる。また、各羽根部材２１は、枠体１５の各側枠１８と
中枠１９との間に傾斜して固定された例を示したが、各羽根部材２１を枠体１５の各側枠
１８と中枠１９との間に枢軸を介して回転可能に枢着することができる。これにより、状
況に応じて通風量や採光量等を調節することができる。また、各羽根部材２１の先端を下
方へ折り曲げることができる。これにより、室内への太陽光や雨の侵入をより確実に抑制
することができる。
【００３６】
また、各ガイドレール１４の底面１４ａに形成された各係合孔２７の間隔は、各ガイド
レール１４に対応する側枠１８の各係合体２６の間隔と等しい例を示したが、各係合体２
６に対応するように各係合孔２７の間隔を狭くすることができる。また、係合孔２７に代
えて、各ガイドレール１４の底面１４ａを互いに対称的な波状に形成することができる。
この場合、波の谷に枠体１５の各係合体２６が嵌った状態で枠体１５を保持することがで
きる。これにより、枠体１５の高さ位置をより多く選択することができる。
【００３７】
更に、シャッター１１の下端と枠体１５の上枠との間に錠前を付けることができる。こ
れにより、夜間や留守中に、より確実に防犯することができる。
【００３８】
本実施例では、上下方向に開閉するシャッターに本発明を適用した例を示したが、左右
方向に開閉するシャッターに本発明を適用することができる。また、住宅の窓１２に設け
られたシャッター１１に本発明を用いた例を示したが、店舗の出入口に設けられたシャッ
ターに本発明を適用することができる。
【図面の簡単な説明】
【００３９】
【図１】本発明に係る換気用建具がガイドレールに装着された状態を概略的に示す斜視図である。
【図２】図１のI−I線に沿った換気用建具の横断面図である。
【図３】本発明に係る換気用建具を夜間及び留守中に使用した状態を概略的に示す斜視図である。
【図４】本発明に係る換気用建具を昼間の在室時に使用した状態を概略的に示す斜視図である。
【符号の説明】
【００４０】
１２  開口部（窓）  
１１  シャッター
１４  ガイドレール
１５  枠体
２０  ルーバー
１０  換気用建具
２１  羽根部材
【図１】
2005127059.tif 000003
【図２】
2005127059.tif 000004
【図３】
2005127059.tif 000005
【図４】
2005127059.tif 000006